(57)【要約】  需要管理装置（２００）は、複数の需要家のそれぞれの給湯需要を示す給湯需要情報を取得する取得部（２０１）と、給湯需要情報から、複数の需要家のそれぞれの給湯需要の傾向である個別給湯需要傾向と、複数の需要家の全体の給湯需要の傾向である全体給湯需要傾向とを導出する導出部（２０２）と、複数の需要家のうち、個別給湯需要傾向が全体給湯需要傾向から乖離していないと判断される需要家を制御対象の需要家として選択する選択部（２０３）と、全体給湯需要傾向に応じた制御指示を生成する生成部（２０４）と、制御対象の需要家へ制御指示を送信する送信部（２０５）とを備える。
2017154753.tif 000002
【特許請求の範囲】
【請求項１】
複数の需要家のそれぞれの給湯需要を示す給湯需要情報を取得する取得部と、
前記給湯需要情報から、前記複数の需要家のそれぞれの給湯需要の傾向である個別給湯需要傾向と、前記複数の需要家の全体の給湯需要の傾向である全体給湯需要傾向とを導出する導出部と、
前記複数の需要家のうち、前記個別給湯需要傾向が前記全体給湯需要傾向から乖離していないと判断される需要家を制御対象の需要家として選択する選択部と、
前記全体給湯需要傾向に応じた制御指示を生成する生成部と、
前記制御対象の需要家へ前記制御指示を送信する送信部とを備える
需要管理装置。
【請求項２】
前記導出部は、前記複数の需要家のそれぞれに関して、当該需要家の１日の給湯需要に対する当該需要家の所定時間帯の給湯需要の割合である個別給湯負荷率を複数の日のそれぞれについて導出することにより前記複数の日について複数の個別給湯負荷率を導出し、前記複数の個別給湯負荷率の標準偏差を含む前記個別給湯需要傾向を導出し、
前記選択部は、前記複数の需要家のうち、前記標準偏差が所定範囲内である需要家を前記制御対象の需要家として選択する
請求項１に記載の需要管理装置。
【請求項３】
前記導出部は、
前記複数の需要家のそれぞれに関して、当該需要家の１日の給湯需要に対する当該需要家の所定時間帯の給湯需要の割合である個別給湯負荷率を複数の日のそれぞれについて導出することにより前記複数の日について複数の個別給湯負荷率を導出し、前記複数の個別給湯負荷率の平均値である個別平均値を含む前記個別給湯需要傾向を導出し、
前記複数の需要家の１日の給湯需要に対する前記複数の需要家の前記所定時間帯の給湯需要の割合である全体給湯負荷率を前記複数の日のそれぞれについて導出することにより前記複数の日について複数の全体給湯負荷率を導出し、前記複数の全体給湯負荷率の平均値である全体平均値を含む前記全体給湯需要傾向を導出し、
前記選択部は、前記複数の需要家のうち、前記個別平均値と前記全体平均値との差が所定範囲内である需要家を前記制御対象の需要家として選択する
請求項１に記載の需要管理装置。
【請求項４】
前記導出部は、
前記複数の需要家のそれぞれに関して、当該需要家の１日の給湯需要に対する当該需要家の所定時間帯の給湯需要の割合である個別給湯負荷率を複数の日のそれぞれについて導出することにより前記複数の日について複数の個別給湯負荷率を導出し、前記複数の個別給湯負荷率の平均値である個別平均値と、前記複数の個別給湯負荷率の標準偏差とを含む前記個別給湯需要傾向を導出し、
前記複数の需要家の１日の給湯需要に対する前記複数の需要家の前記所定時間帯の給湯需要の割合である全体給湯負荷率を前記複数の日のそれぞれについて導出することにより前記複数の日について複数の全体給湯負荷率を導出し、前記複数の全体給湯負荷率の平均値である全体平均値を含む前記全体給湯需要傾向を導出し、
前記選択部は、前記複数の需要家のうち、前記標準偏差が第１所定範囲内であり、かつ、前記個別平均値と前記全体平均値との差が第２所定範囲内である需要家を前記制御対象の需要家として選択する
請求項１に記載の需要管理装置。
【請求項５】
前記所定時間帯は、前記制御指示によって制御が行われる制御時間帯の後の時間帯である
請求項２〜４のいずれか１項に記載の需要管理装置。
【請求項６】
前記生成部は、前記制御対象の需要家の沸き上げ量または貯湯量を制限するための前記制御指示を生成する
請求項１〜５のいずれか１項に記載の需要管理装置。
【請求項７】
前記導出部は、前記複数の需要家の１日の給湯需要に対する前記複数の需要家の所定時間帯の給湯需要の割合である全体給湯負荷率を複数の日のそれぞれについて導出することにより前記複数の日について複数の全体給湯負荷率を導出し、前記複数の全体給湯負荷率の平均値である全体平均値を含む前記全体給湯需要傾向を導出し、
前記生成部は、前記全体平均値が小さいほど小さい量に、前記制御対象の需要家の沸き上げ量または貯湯量を制限するための前記制御指示を生成する
請求項１〜６のいずれか１項に記載の需要管理装置。
【請求項８】
前記取得部は、さらに、前記複数の需要家のそれぞれの電力需要を示す電力需要情報を取得し、
前記生成部は、前記制御対象の需要家の電力需要、前記制御対象の需要家の給湯需要、および、前記全体給湯需要傾向に応じた前記制御指示を生成する
請求項１〜７のいずれか１項に記載の需要管理装置。
【請求項９】
前記導出部は、前記複数の需要家の１日の給湯需要に対する前記複数の需要家の所定時間帯の給湯需要の割合である全体給湯負荷率を複数の日のそれぞれについて導出することにより前記複数の日について複数の全体給湯負荷率を導出し、前記複数の全体給湯負荷率の平均値である全体平均値を含む前記全体給湯需要傾向を導出し、
前記所定時間帯は、前記制御指示によって制御が行われる制御時間帯の後の時間帯であり、
前記生成部は、前記全体平均値が小さいほど小さい量に、かつ、前記制御時間帯における前記制御対象の需要家の電力需要が大きいほど小さい量に、かつ、前記所定時間帯における前記制御対象の需要家の給湯需要が小さいほど小さい量に、前記制御対象の需要家の沸き上げ量または貯湯量を制限するための前記制御指示を生成する
請求項８に記載の需要管理装置。
【請求項１０】
複数の需要家のそれぞれの給湯需要を示す給湯需要情報を取得する取得ステップと、
前記給湯需要情報から、前記複数の需要家のそれぞれの給湯需要の傾向である個別給湯需要傾向と、前記複数の需要家の全体の給湯需要の傾向である全体給湯需要傾向とを導出する導出ステップと、
前記複数の需要家のうち、前記個別給湯需要傾向が前記全体給湯需要傾向から乖離していないと判断される需要家を制御対象の需要家として選択する選択ステップと、
前記全体給湯需要傾向に応じた制御指示を生成する生成ステップと、
前記制御対象の需要家へ前記制御指示を送信する送信ステップとを含む
需要管理方法。
【請求項１１】
請求項１０に記載の需要管理方法をコンピュータに実行させるためのプログラム。
【発明の詳細な説明】
【技術分野】
【０００１】
本発明は、給湯需要に応じた制御を行うための需要管理装置等に関する。
【背景技術】
【０００２】
従来、複数の給湯機を制御する技術が提案されている。特許文献１に記載の技術は、その一例である。【０００３】
具体的には、特許文献１に記載の給湯機制御装置は、複数の貯湯式給湯機から受信する貯湯式給湯機における１日の使用熱量を集計する。また、給湯機制御装置は、その集計結果と、深夜運転率と、貯湯式給湯機の台数とに基づいて、各貯湯式給湯機で期間内に許容される最大の沸き上げ熱量を算出する。給湯機制御装置は、算出した各貯湯式給湯機で期間内に許容される最大の沸き上げ熱量を複数の給湯機制御装置へ送信する。なお、最大の沸き上げ熱量は、貯湯式給湯機のタンク容量で重み付けして算出される。【０００４】
これにより、複数の給湯機を制御する場合において、電力負荷の平準化が促進され、かつ、各給湯機の運転が効率化される。
【先行技術文献】
【特許文献】
【０００５】
【特許文献１】特開２０１２−９７９４９号公報
【発明の概要】
【発明が解決しようとする課題】
【０００６】
しかしながら、最大の沸き上げ熱量がタンク容量で重み付けして算出されるため、準備される湯量がタンク容量に応じて制限される。したがって、需要家個別の特異な給湯需要によって湯切れ等の弊害が発生する可能性がある。【０００７】
そこで、本発明は、需要家群全体の給湯需要に応じた制御を行いつつ、需要家個別の特異な給湯需要に起因する弊害の発生を抑制することができる需要管理装置等を提供する。
【課題を解決するための手段】
【０００８】
上記目的を達成するため、本発明の一態様に係る需要管理装置は、複数の需要家のそれぞれの給湯需要を示す給湯需要情報を取得する取得部と、前記給湯需要情報から、前記複数の需要家のそれぞれの給湯需要の傾向である個別給湯需要傾向と、前記複数の需要家の全体の給湯需要の傾向である全体給湯需要傾向とを導出する導出部と、前記複数の需要家のうち、前記個別給湯需要傾向が前記全体給湯需要傾向から乖離していないと判断される需要家を制御対象の需要家として選択する選択部と、前記全体給湯需要傾向に応じた制御指示を生成する生成部と、前記制御対象の需要家へ前記制御指示を送信する送信部とを備える。【０００９】
また、本発明の一態様に係る需要管理方法は、複数の需要家のそれぞれの給湯需要を示す給湯需要情報を取得する取得ステップと、前記給湯需要情報から、前記複数の需要家のそれぞれの給湯需要の傾向である個別給湯需要傾向と、前記複数の需要家の全体の給湯需要の傾向である全体給湯需要傾向とを導出する導出ステップと、前記複数の需要家のうち、前記個別給湯需要傾向が前記全体給湯需要傾向から乖離していないと判断される需要家を制御対象の需要家として選択する選択ステップと、前記全体給湯需要傾向に応じた制御指示を生成する生成ステップと、前記制御対象の需要家へ前記制御指示を送信する送信ステップとを含む。
【発明の効果】
【００１０】
本発明の一態様に係る需要管理装置等は、需要家群全体の給湯需要に応じた制御を行いつつ、需要家個別の特異な給湯需要に起因する弊害の発生を抑制することができる。
【図面の簡単な説明】
【００１１】
【図１】図１は、参考例における需要家群全体の電力需要カーブを示すグラフである。
【図２】図２は、参考例における深夜沸き上げ目標量の割り当てを示す概念図である。
【図３】図３は、実施の形態における需要管理システムの構成を示すブロック図である。
【図４】図４は、実施の形態における需要管理装置の構成を示すブロック図である。
【図５】図５は、実施の形態における積算給湯負荷率を示すグラフである。
【図６】図６は、実施の形態における需要管理装置の動作を示すフローチャートである。
【図７】図７は、実施の形態における導出部および選択部の動作を示すフローチャートである。
【図８】図８は、実施の形態における需要管理装置の動作を示すシーケンス図である。
【図９】図９は、実施の形態における需要管理装置の動作の具体例を示すシーケンス図である。
【図１０】図１０は、実施の形態における需要管理装置の変形例の構成を示すブロック図である。
【図１１】図１１は、実施の形態における需要管理装置の変形例の動作を示すフローチャートである。
【発明を実施するための形態】
【００１２】
（本発明の基礎となった知見）
本発明者は、複数の需要家に属する複数の給湯機等の制御に関して、課題を見出した。以下、具体的に説明する。
【００１３】
図１は、参考例における需要家群全体の電力需要カーブを示すグラフである。図１に示された電力需要カーブは、例えば、電力系統に対する住宅群の電力需要カーブである。
【００１４】
この例において、点線で示されているように、給湯機の消費電力を除いた電力需要は、昼および深夜に小さくなり、朝および夜に大きくなる。また、住宅において利用される太陽光発電等の影響を受けて、電力需要は深夜よりも昼において小さくなる。
【００１５】
給湯機は、次の日または当日に利用される湯を準備するため、深夜に沸き上げを行う。したがって、図１において一点鎖線で示されているように、給湯機の消費電力を含む全体の電力需要は、深夜に最も大きく、昼間に最も小さい。このような電力需要の変化を緩やかにするため、つまり、需要家群全体の電力需要カーブを目標の電力需要カーブに近づけるため、深夜の沸き上げを減らして昼に沸き上げを行うよう、給湯機を制御することが検討されている。
【００１６】
そして、需要家群全体の電力需要カーブが目標の電力需要カーブに近づくことで、電力系統が需要家群全体に対して安定的に電力を供給することができる。例えば、このような給湯機の制御は、電力系統から電力需要を調整するための要求を受けて行われる。
【００１７】
なお、給湯機は、電気エネルギーで沸き上げを行った後、給湯を行う。したがって、給湯機が電気エネルギーで沸き上げを行うタイミングと、給湯機が給湯を行うタイミングとは、異なっていてもよい。つまり、給湯機に関連する電力需要が発生するタイミングと、その給湯機に関連する給湯需要が発生するタイミングとは、異なっていてもよい。しかし、これらのタイミングによって、湯切れまたは放熱ロスの弊害が生じる可能性がある。
【００１８】
図２は、参考例における深夜沸き上げ目標量の割り当てを示す概念図である。深夜沸き上げ目標量は、深夜における沸き上げ量の上限に相当する。需要家群全体の深夜沸き上げ目標量は、需要家群全体の電力需要カーブが目標の電力需要カーブに近づくように定められる。
【００１９】
図２の例では、深夜沸き上げ目標量が各需要家のタンク容量に応じて割り当てられる。具体的には、需要家群全体の深夜沸き上げ目標量は、３００Ｌである。需要家Ａのタンク容量は、２００Ｌである。需要家Ｂのタンク容量は、３００Ｌである。したがって、３００Ｌのうち、１２０Ｌが需要家Ａの深夜沸き上げ目標量に割り当てられ、１８０Ｌが需要家Ｂの深夜沸き上げ目標量に割り当てられる。
【００２０】
そして、需要家Ａに対して、深夜沸き上げ目標量を１２０Ｌに制御する制御指示が送信され、需要家Ｂに対して、深夜沸き上げ目標量を１８０Ｌに制御する制御指示が送信される。これにより、深夜における需要家Ａの沸き上げ量が１２０Ｌ以下に制限され、深夜における需要家Ｂの沸き上げ量が１８０Ｌ以下に制限される。
【００２１】
例えば、需要家Ａでは、深夜に１２０Ｌの沸き上げが行われることにより、朝の時間帯の開始時点において貯湯量が１２０Ｌに到達する。需要家Ｂでは、深夜に１８０Ｌの沸き上げが行われることにより、朝の時間帯の開始時点において貯湯量が１８０Ｌに到達する。
【００２２】
需要家Ａでは、朝の時間帯に３０Ｌの給湯需要が発生しているが、深夜に沸き上げられた湯で円滑な給湯が可能である。一方、需要家Ｂでは、朝の時間帯に２４０Ｌの給湯需要が発生している。この給湯需要は、深夜に沸き上げられた湯の貯湯量よりも大きい。したがって、湯切れが発生し、円滑な給湯に支障が生じる。
【００２３】
すなわち、需要家群全体の給湯需要に応じた制御を行った場合、需要家個別の特異な給湯需要によって湯切れ等の弊害が発生する可能性がある。
【００２４】
そこで、本発明の一態様に係る需要管理装置は、取得部と、導出部と、選択部と、生成部と、送信部とを備える。取得部は、複数の需要家のそれぞれの給湯需要を示す給湯需要情報を取得する。導出部は、給湯需要情報から、複数の需要家のそれぞれの給湯需要の傾向である個別給湯需要傾向と、複数の需要家の全体の給湯需要の傾向である全体給湯需要傾向とを導出する。
【００２５】
選択部は、複数の需要家のうち、個別給湯需要傾向が全体給湯需要傾向から乖離していないと判断される需要家を制御対象の需要家として選択する。生成部は、全体給湯需要傾向に応じた制御指示を生成する。送信部は、制御対象の需要家へ制御指示を送信する。
【００２６】
これにより、需要管理装置は、複数の需要家から給湯需要が特異な需要家を除外して制御対象の需要家を選択し、全体の給湯需要に応じた制御指示を制御対象の需要家へ送信することができる。したがって、需要管理装置は、需要家群全体の給湯需要に応じた制御を行いつつ、需要家個別の特異な給湯需要に起因する弊害の発生を抑制することができる。
【００２７】
なお、上記に関する包括的または具体的な態様は、システム、装置、方法、集積回路、コンピュータプログラムまたはコンピュータ読み取り可能なＣＤ−ＲＯＭなどの非一時的な記録媒体で実現されてもよく、これらの任意な組み合わせで実現されてもよい。
【００２８】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００２９】
また、電力および電力量は、それらの値を意味する場合がある。また、電力量は、単位時間あたりの電力量であってもよい。
【００３０】
また、需要家は、需要家の施設、需要家の機器、または、需要家のシステム等を意味する場合がある。また、給湯需要は、給湯量に相当する。また、沸き上げ量は、沸き上げられる湯量に相当してもよいし、沸き上げに用いられる熱量または電力量に相当していてもよい。また、以下の説明において、第１、第２または第３などの序数は、適宜、付け替えられてもよいし、省略されてもよいし、新たに付与されてもよい。
【００３１】
（実施の形態）
図３は、本実施の形態における需要管理システムの構成を示すブロック図である。図３に示された需要管理システム１００は、需要管理装置２００、複数の機器制御装置４０１、および、複数の給湯機４０２を備える。複数の需要家のそれぞれは、機器制御装置４０１および給湯機４０２を有する。１需要家の機器制御装置４０１および給湯機４０２は、互いに通信可能に接続されている。また、需要管理装置２００と、複数の機器制御装置４０１とは、通信ネットワーク３００を介して、互いに通信可能に接続されている。
【００３２】
需要管理装置２００は、給湯需要に応じた制御を行うための装置である。需要管理装置２００は、情報処理を行うコンピュータでもよい。
【００３３】
例えば、需要管理装置２００は、複数の需要家のそれぞれから、通信ネットワーク３００を介して、需要家の給湯需要を示す給湯需要情報を受信することにより、給湯需要情報を取得する。そして、需要管理装置２００は、制御指示を生成し、制御対象の需要家へ、通信ネットワーク３００を介して、制御指示を送信する。
【００３４】
この制御指示は、複数の需要家の給湯需要の傾向に応じた制御指示であり、例えば、図１のように、複数の需要家の電力需要カーブを目標の電力需要カーブに近づけるための制御指示である。より具体的には、制御指示は、沸き上げ量または貯湯量を制限するための制御指示であってもよいし、沸き上げ量または貯湯量を示していてもよい。また、制御指示において、沸き上げ量または貯湯量が上限として示されていてもよい。
【００３５】
また、給湯需要の傾向は、給湯需要の特性であり、例えば、時間帯毎の給湯負荷率を含む。時間帯毎の給湯負荷率は、１日の給湯需要に対する時間帯毎の給湯需要の割合である。給湯需要の傾向は、複数の日における給湯負荷率の平均を時間帯毎に示す情報を含んでもよいし、複数の日における給湯負荷率の標準偏差を時間帯毎に示す情報を含んでもよい。
【００３６】
ここで、時間帯は、１日間よりも短い時間帯である。時間帯は、朝、昼、夜または深夜などの時間帯でもよいし、１時間毎の時間帯でもよいし、より短い時間間隔毎の時間帯でもよいし、より長い時間間隔毎の時間帯でもよい。また、１日における複数の時間帯は、互いに同じ長さであってもよいし、互いに同じ長さでなくてもよい。
【００３７】
通信ネットワーク３００は、有線または無線の通信を行うためのネットワークである。通信ネットワーク３００は、インターネットでもよい。
【００３８】
機器制御装置４０１は、需要家の機器を制御するための装置である。機器制御装置４０１は、ＨＥＭＳ（Ｈｏｍｅ  Ｅｎｅｒｇｙ  Ｍａｎａｇｅｍｅｎｔ  Ｓｙｓｔｅｍ）コントローラでもよい。
【００３９】
例えば、機器制御装置４０１は、給湯機４０２から需要家の給湯需要を示す給湯需要情報を取得し、需要管理装置２００へ通信ネットワーク３００を介して給湯需要情報を送信する。また、機器制御装置４０１は、需要管理装置２００から通信ネットワーク３００を介して制御指示を受信し、制御指示に従って給湯機４０２の動作を制御する。
【００４０】
給湯機４０２は、湯を電気で沸かし、タンクに湯を貯め、湯を供給する電気給湯機である。給湯機４０２は、ヒートポンプ式給湯機でもよい。例えば、給湯機４０２は、機器制御装置４０１が制御指示に従って行う制御に従って動作する。また、給湯機４０２は、需要家の給湯需要を示す給湯需要情報を蓄積し、給湯需要情報に従って湯の沸き上げを行ってもよい。
【００４１】
例えば、機器制御装置４０１は、制御指示に従って給湯機４０２の沸き上げ量の範囲を制限する。給湯機４０２は、制限された範囲で湯の沸き上げを行う。これにより、給湯機４０２は、機器制御装置４０１が行う制御の範囲で、需要家の給湯需要に従って湯の沸き上げを行うことができる。
【００４２】
図４は、図３に示された需要管理装置２００の構成を示すブロック図である。図４の通り、需要管理装置２００は、取得部２０１、導出部２０２、選択部２０３、生成部２０４および送信部２０５を備える。
【００４３】
取得部２０１は、複数の需要家のそれぞれの給湯需要を示す給湯需要情報を取得する取得器である。取得部２０１は、さらに、複数の需要家のそれぞれの電力需要を示す電力需要情報を取得してもよい。また、取得部２０１は、さらに、複数の需要家のそれぞれの給湯機４０２またはその他の機器の状態を示す機器状態情報を取得してもよい。取得部２０１は、さらに、需要家に関するその他の情報を取得してもよい。給湯需要情報、電力需要情報、機器状態情報およびその他の情報は、需要家データと表現される場合がある。
【００４４】
取得部２０１は、需要家の機器制御装置４０１から通信ネットワーク３００を介して給湯需要情報等を単位時間毎に受信することにより給湯需要情報等を取得してもよい。ここで、単位時間は、例えば、３０分である。
【００４５】
例えば、取得部２０１は、給湯機４０２の消費電力量、給湯機４０２以外の消費電力量、４２℃換算給湯量、給湯機４０２のタンク容量、４２℃換算タンク内湯量、または、これらの組み合わせ等を取得する。
【００４６】
なお、給湯機４０２以外の消費電力量は、主幹電力量から給湯機４０２の消費電力量を除いた電力量に相当する。取得部２０１は、給湯機４０２の消費電力量、および、主幹電力量を取得し、主幹電力量から給湯機４０２の消費電力量を引くことにより、給湯機４０２以外の消費電力量を取得してもよい。また、取得部２０１は、給湯機４０２からの出湯量および出湯温度を取得することにより、４２℃換算給湯量を取得してもよいし、出湯の熱量を取得することにより、４２℃換算給湯量を取得してもよい。
【００４７】
また、取得部２０１は、給湯機４０２のタンク容量の登録時または変更時のみ、給湯機４０２のタンク容量を取得してもよい。また、取得部２０１は、給湯機４０２のタンク内の湯の温度および量を取得することにより、４２℃換算タンク内湯量を取得してもよい。
【００４８】
また、取得部２０１は、記憶部を備え、取得した給湯需要情報等を記憶部に蓄積してもよい。そして、取得部２０１は、他の構成要素からの問い合わせに応じて、他の構成要素へ給湯需要情報等を送信する管理部として動作してもよい。
【００４９】
導出部２０２は、給湯需要情報から、給湯需要傾向を導出する導出器である。具体的には、導出部２０２は、給湯需要情報から、個別給湯需要傾向と全体給湯需要傾向とを導出する。個別給湯需要傾向は、複数の需要家のそれぞれの給湯需要の傾向である。全体給湯需要傾向は、複数の需要家の全体の給湯需要の傾向である。
【００５０】
例えば、導出部２０２は、過去の給湯需要を示す給湯需要情報に基づいて、給湯需要傾向を導出する。給湯需要傾向は、１日の給湯需要に対する時間帯別の給湯需要の割合である時間帯別給湯負荷率を含んでいてもよいし、複数の日における時間帯別給湯負荷率の平均または標準偏差を含んでいてもよい。あるいは、給湯需要傾向は、時間帯別の給湯需要の大きさである時間帯別給湯需要量を含んでいてもよいし、複数の日における時間帯別給湯需要量の平均または標準偏差を含んでいてもよい。
【００５１】
なお、ある時間帯の給湯負荷率は、１日の給湯需要に対するその時間帯の給湯需要の割合を意味する。また、ここでは、需要家毎の給湯負荷率を個別給湯負荷率と呼ぶ場合があり、需要家群全体の給湯負荷率を全体給湯負荷率と呼ぶ場合がある。
【００５２】
選択部２０３は、複数の需要家から制御対象の需要家を選択する選択器である。具体的には、選択部２０３は、複数の需要家のうち、個別給湯需要傾向が全体給湯需要傾向から乖離していないと判断される需要家を制御対象の需要家として選択する。選択部２０３は、複数の需要家から個別給湯需要傾向が全体給湯需要傾向から乖離していないと判断される１以上の需要家を抽出することにより、１以上の需要家のそれぞれを制御対象の需要家として選択してもよい。
【００５３】
例えば、選択部２０３は、複数の需要家のそれぞれについて、個別給湯需要傾向が全体給湯需要傾向から乖離していないと判断される所定の基準を個別給湯需要傾向が満たすか否かを導出部２０２で導出された個別給湯需要傾向に基づいて判断する。そして、選択部２０３は、導出部２０２で導出された個別給湯需要傾向が所定の基準を満たす需要家を制御対象の需要家として選択する。これにより、個別給湯需要傾向が全体給湯需要傾向から乖離していないと判断される需要家が制御対象の需要家として選択される。
【００５４】
選択部２０３は、制御時間帯の直後の所定時間帯の給湯負荷率の特性に基づいて個別給湯需要傾向が全体給湯需要傾向から乖離していないと判断される需要家を制御対象の需要家として選択してもよい。具体的には、選択部２０３は、所定時間帯の個別給湯負荷率の標準偏差が所定範囲（第１所定範囲）外である需要家を制御対象の需要家から除外してもよい。また、選択部２０３は、所定時間帯の個別給湯負荷率の平均が所定範囲（第２所定範囲）外である需要家を制御対象の需要家から除外してもよい。
【００５５】
生成部２０４は、制御指示を生成する生成器である。具体的には、生成部２０４は、全体給湯需要傾向に応じた制御指示を生成する。例えば、制御指示は、制御対象の需要家の沸き上げ量または貯湯量を制限するための制御指示である。
【００５６】
具体的には、制御指示によって制御が行われる制御時間帯の後の所定時間帯における需要家群全体の給湯負荷率が小さいほど小さい量に制御対象の需要家の沸き上げ量または貯湯量が制限されてもよい。ここで、需要家群全体の給湯負荷率には、需要家群全体の平均的な給湯負荷率が用いられてもよい。つまり、複数の日における全体給湯負荷率の平均が用いられてもよい。
【００５７】
また、制御時間帯における制御対象の需要家の電力需要が大きいほど小さい量に制御対象の需要家の沸き上げ量または貯湯量が制限されてもよい。また、制御時間帯の後の所定時間帯における制御対象の需要家の給湯需要が小さいほど小さい量に制御対象の需要家の沸き上げ量または貯湯量が制限されてもよい。
【００５８】
また、さらに、制御対象の需要家の給湯機４０２のタンク容量、および、制御対象の需要家の４２℃換算タンク内湯量等に基づいて、制御対象の需要家の沸き上げ量または貯湯量が制限されてもよい。
【００５９】
そして、生成部２０４は、制御対象の需要家に割り当てられる沸き上げ量または貯湯量を上限として示す制御指示を生成してもよい。
【００６０】
送信部２０５は、制御指示を送信する送信器である。具体的には、送信部２０５は、制御対象の需要家へ制御指示を送信する。例えば、送信部２０５は、通信ネットワーク３００を介して、需要家の機器制御装置４０１へ制御指示を送信する。
【００６１】
図５は、図４に示された需要管理装置２００で用いられる積算給湯負荷率を示すグラフである。積算給湯負荷率は、所定時点からの給湯負荷率の積算値である。図５において、μａｖｅは、複数の日における需要家群全体の積算給湯負荷率の平均を示す。μ１は、複数の日における第１需要家の積算給湯負荷率の平均を示す。μ２は、複数の日における第２需要家の積算給湯負荷率の平均を示す。なお、第１需要家および第２需要家のそれぞれは、需要家群に含まれる需要家である。
【００６２】
また、σａｖｅは、複数の日における需要家群全体の積算給湯負荷率の標準偏差を示す。σ１は、複数の日における第１需要家の積算給湯負荷率の標準偏差を示す。σ２は、複数の日における第２需要家の積算給湯負荷率の標準偏差を示す。特に、σａｖｅ、σ１、および、σ２のそれぞれは、朝および昼を含む時間帯の終了時点における積算給湯負荷率の標準偏差を示す。
【００６３】
例えば、ある需要家の給湯負荷率の変動（ばらつき）が大きい場合、その需要家の給湯負荷率は、需要家群全体の給湯負荷率から乖離する可能性が高い。したがって、この場合、選択部２０３は、その需要家の給湯需要の傾向が需要家群全体の給湯需要の傾向から乖離していると判断し、その需要家を制御対象の需要家から除外する。
【００６４】
図５の例では、第１需要家の積算給湯負荷率の標準偏差σ１は大きい。したがって、選択部２０３は、第１需要家の給湯需要の傾向が需要家群全体の給湯需要の傾向から乖離していると判断し、第１需要家を制御対象の需要家から除外する。
【００６５】
また、ある需要家の給湯負荷率と、需要家群全体の給湯負荷率との差が大きい場合、選択部２０３は、その需要家の給湯需要の傾向が需要家群全体の給湯需要の傾向から乖離していると判断し、その需要家を制御対象の需要家から除外する。
【００６６】
図５の例では、第２需要家の積算給湯負荷率の平均μ２と、需要家群全体の積算給湯負荷率の平均μａｖｅとの差は、朝と昼とを含む時間帯の終了時点において大きい。したがって、選択部２０３は、第２需要家の給湯需要の傾向が需要家群全体の給湯需要の傾向から乖離していると判断し、第２需要家を制御対象の需要家から除外する。
【００６７】
例えば、深夜の時間帯に需要家群全体の総沸き上げ量または総貯湯量を削減するための制御が行われる場合、全体給湯需要傾向に従って需要家群全体の総沸き上げ量または総貯湯量の削減量が定められる。具体的には、朝および昼の時間帯において、需要家群全体の給湯負荷率が低い場合、削減量は大きくてもよい。そして、需要家群全体の削減量が大きいほど、各需要家に対して大きな削減量が割り当てられる。
【００６８】
しかしながら、図５のように、朝および昼の時間帯において給湯負荷率の変動が大きい第１需要家、または、朝および昼の時間帯において給湯負荷率が大きい第２需要家では、湯切れが発生する可能性が高い。したがって、選択部２０３は、第１需要家および第２需要家を制御対象の需要家から除外する。
【００６９】
これにより、需要管理装置２００は、需要家群全体の給湯需要に応じた制御を行いつつ、需要家個別の特異な給湯需要に起因する弊害の発生を抑制することができる。なお、図５では、便宜上、積算給湯負荷率が示されているが、積算給湯負荷率が給湯負荷率に置き換えられても同様の理論が成立する。
【００７０】
図６は、図４に示された需要管理装置２００の動作を示すフローチャートである。需要管理装置２００は、図６に示された動作を行うことにより、給湯需要に応じた制御を行う。
【００７１】
まず、取得部２０１は、複数の需要家のそれぞれの給湯需要を示す給湯需要情報を取得する（Ｓ１０１）。次に、導出部２０２は、給湯需要情報から、複数の需要家のそれぞれの給湯需要の傾向である個別給湯需要傾向と、複数の需要家の全体の給湯需要の傾向である全体給湯需要傾向とを導出する（Ｓ１０２）。次に、選択部２０３は、複数の需要家のうち、個別給湯需要傾向が全体給湯需要傾向から乖離していないと判断される需要家を制御対象の需要家として選択する（Ｓ１０３）。
【００７２】
次に、生成部２０４は、全体給湯需要傾向に応じた制御指示を生成する（Ｓ１０４）。送信部２０５は、制御対象の需要家へ制御指示を送信する（Ｓ１０５）。
【００７３】
図７は、図４に示された導出部２０２および選択部２０３の動作を示すフローチャートである。また、図７は、図６に示された導出処理（Ｓ１０２）および選択処理（Ｓ１０３）の具体的な例を示す。
【００７４】
まず、選択部２０３は、全ての需要家を制御対象の需要家として設定する（Ｓ２０１）。つまり、選択部２０３は、暫定的に、全ての需要家を制御対象の需要家と指定する。
【００７５】
次に、導出部２０２は、需要家毎かつ日毎に、制御時間帯の後の所定時間帯の個別給湯負荷率を導出する（Ｓ２０２）。ここで、所定時間帯の個別給湯負荷率は、ある需要家の１日の給湯需要に対するその需要家の所定時間帯の給湯需要の割合である。次に、導出部２０２は、需要家毎に、複数の日における所定時間帯の個別給湯負荷率の平均値および標準偏差を導出する（Ｓ２０３）。なお、個別給湯負荷率の平均値を個別平均値と呼ぶ場合があり、個別給湯負荷率の標準偏差を個別標準偏差と呼ぶ場合がある。
【００７６】
次に、選択部２０３は、個別給湯負荷率の標準偏差が所定範囲外である需要家を制御対象の需要家から除外する（Ｓ２０４）。例えば、個別給湯負荷率の標準偏差が大きい場合、つまり、個別給湯負荷率の変動（ばらつき）が大きい場合、個別給湯負荷率は、需要家群全体の給湯負荷率から乖離する可能性が高い。したがって、この場合、選択部２０３は、その需要家の給湯需要の傾向が需要家群全体の給湯需要の傾向から乖離していると判断し、その需要家を制御対象の需要家から除外する。
【００７７】
例えば、選択部２０３は、ある需要家に対して導出された標準偏差σｎが以下の式１を満たす場合、その需要家を制御対象から除外する。
【００７８】
σｎ＞Ｃσ  ・・・（式１）
【００７９】
ここで、Ｃσは、定数である。例えば、Ｃσは、過去の所定期間における需要家群全体の給湯負荷率の変動に基づいて予め定められる固定の値でもよい。これにより、選択部２０３は、所定時間帯の個別給湯負荷率の変動（ばらつき）が大きい需要家を個別給湯需要傾向が全体給湯需要傾向から乖離していると判断される需要家として制御対象の需要家から除外する。
【００８０】
次に、導出部２０２は、日毎に、制御時間帯の後の所定時間帯の全体給湯負荷率を導出する（Ｓ２０５）。ここで、所定時間帯の全体給湯負荷率は、需要家群全体の１日の給湯需要に対する需要家群全体の所定時間帯の給湯需要の割合である。次に、導出部２０２は、複数の日における所定時間帯の全体給湯負荷率の平均値および標準偏差を導出する（Ｓ２０６）。なお、全体給湯負荷率の平均値を全体平均値と呼ぶ場合があり、全体給湯負荷率の標準偏差を全体標準偏差と呼ぶ場合がある。
【００８１】
次に、選択部２０３は、全体給湯負荷率の平均値と個別給湯負荷率の平均値との差が所定範囲外である需要家を制御対象の需要家から除外する（Ｓ２０７）。例えば、選択部２０３は、全体給湯負荷率の平均値μａｖｅと、ある需要家の個別給湯負荷率の平均値μｎとが以下の式２を満たす場合、その需要家を制御対象から除外する。
【００８２】
μｎ−μａｖｅ＞３σａｖｅ  ・・・（式２）
【００８３】
ここで、σａｖｅは、全体給湯負荷率の標準偏差である。３σａｖｅは、一例であって、３σａｖｅの代わりに１σａｖｅが用いられてもよいし、σａｖｅに依存しない値が用いられてもよい。これにより、選択部２０３は、所定時間帯の個別給湯負荷率が大きい需要家を個別給湯需要傾向が全体給湯需要傾向から乖離していると判断される需要家として制御対象の需要家から除外する。
【００８４】
なお、上記の通り、導出部２０２および選択部２０３は、導出処理（Ｓ１０２）および選択処理（Ｓ１０３）を協働で行ってもよい。
【００８５】
また、上記のＣσは、全体給湯負荷率の標準偏差σａｖｅに基づいて規定されてもよい。例えば、Ｃσは、σａｖｅでもよいし、σａｖｅに定数を掛け合わせて得られる値でもよい。具体的には、選択部２０３が、標準偏差σａｖｅに基づいてＣσを規定してもよい。
【００８６】
また、上記では、個別標準偏差が所定範囲（第１所定範囲）内であり、かつ、個別平均値と全体平均値との差が所定範囲（第２所定範囲）内である需要家が制御対象の需要家として選択される。しかし、これらの２つの条件のうち一方を満たす需要家が制御対象の需要家として選択されてもよい。
【００８７】
また、上記では、選択部２０３は、個別平均値から全体平均値を引いた値を全体平均値と個別平均値との差として用いている。このように、選択部２０３は、プラスまたはマイナスの符号付の差を用いて、個別平均値が全体平均値よりも所定値以上大きい需要家を制御対象の需要家から除外してもよい。そして、選択部２０３は、個別平均値が全体平均値よりも小さい需要家を制御対象の需要家から除外しなくてもよい。
【００８８】
図８は、図４に示された需要管理装置２００の動作を示すシーケンス図である。需要管理装置２００は、図８に示された動作を行うことにより、給湯需要に応じた制御を行う。
【００８９】
まず、取得部２０１は、需要家から送信される給湯需要情報を受信することにより、給湯需要情報を取得する（Ｓ３０１）。そして、給湯需要情報は導出部２０２に入力される（Ｓ３０２）。導出部２０２は、給湯需要情報から、個別給湯需要傾向と全体給湯需要傾向とを導出して選択部２０３へ出力する（Ｓ３０３）。選択部２０３は、個別給湯需要傾向が全体給湯需要傾向から乖離していないと判断される需要家を制御対象の需要家として選択する。
【００９０】
そして、制御対象の需要家を示す情報、および、全体給湯需要傾向が、生成部２０４に入力される（Ｓ３０４）。生成部２０４は、全体給湯需要傾向に応じた制御指示を生成する。そして、制御対象の需要家を示す情報、および、制御指示が、送信部２０５に入力される（Ｓ３０５）。送信部２０５は、制御指示を需要家へ送信する（Ｓ３０６）。
【００９１】
上記により、需要管理装置２００は、個別給湯需要傾向が全体給湯需要傾向から乖離していないと判断される需要家を制御対象の需要家として選択し、全体給湯需要傾向に応じた制御指示を制御対象の需要家へ送信する。これにより、需要管理装置２００は、需要家群全体の給湯需要に応じた制御を行いつつ、需要家個別の特異な給湯需要に起因する弊害の発生を抑制することができる。
【００９２】
図９は、図４に示された需要管理装置２００の動作の具体例を示すシーケンス図である。すなわち、図９は、図８に示された動作のより具体的な例を示す。
【００９３】
まず、取得部２０１は、需要家から送信される給湯需要情報および電力需要情報を受信することにより、給湯需要情報および電力需要情報を取得する（Ｓ４０１）。この例において、取得部２０１は、管理情報の問い合わせを受けて、その管理情報の応答を行う管理部としても動作する。そして、取得部２０１は、給湯需要情報および電力需要情報を管理情報として登録する（Ｓ４０２）。すなわち、給湯需要情報および電力需要情報を記憶部に格納する。
【００９４】
取得処理（Ｓ４０１）および登録処理（Ｓ４０２）は、所定時間間隔毎に繰り返して行われる。所定時間間隔は、１時間間隔でもよいし、朝、昼、夜または深夜等の時間帯に相当する時間間隔でもよい。
【００９５】
次に、導出部２０２は、取得部２０１に対して給湯需要情報の問い合わせを行う（Ｓ４０３）。取得部２０１は、給湯需要情報の問い合わせを受けて、給湯需要情報の応答を行う（Ｓ４０４）。そして、導出部２０２は、給湯需要情報から、需要家毎の個別給湯需要傾向、および、需要家群全体の全体給湯需要傾向を導出する。そして、導出部２０２は、個別給湯需要傾向および全体給湯需要傾向を選択部２０３へ出力する（Ｓ４０５）。
【００９６】
選択部２０３は、個別給湯需要傾向が全体給湯需要傾向から乖離していないと判断される需要家を制御対象の需要家として選択する。そして、制御対象の需要家を示す情報、および、全体給湯需要傾向が、生成部２０４に入力される（Ｓ４０６）。
【００９７】
生成部２０４は、取得部２０１に対して、過去の所定期間における制御対象の需要家の給湯需要情報および電力需要情報の問い合わせを行う（Ｓ４０７）。取得部２０１は、給湯需要情報および電力需要情報の問い合わせを受けて、給湯需要情報および電力需要情報の応答を行う（Ｓ４０８）。そして、生成部２０４は、制御対象の需要家の給湯需要、制御対象の需要家の電力需要、および、全体給湯需要傾向に応じた制御指示を生成する。
【００９８】
そして、制御対象の需要家を示す情報、および、制御指示が、送信部２０５に入力される（Ｓ４０９）。送信部２０５は、制御指示を需要家へ送信する（Ｓ４１０）。
【００９９】
上記により、需要管理装置２００は、個別給湯需要傾向が全体給湯需要傾向から乖離していないと判断される制御対象の需要家を選択し、制御対象の需要家の給湯需要および電力需要と、全体給湯需要傾向とに応じた制御指示を制御対象の需要家へ送信する。これにより、需要管理装置２００は、より適切な制御指示を需要家へ送信することができる。
【０１００】
図１０は、図４に示された需要管理装置２００の変形例の構成を示すブロック図である。図１０のように、需要管理装置２００は、さらに、予測部２０６および受付部２０７を備えてもよい。
【０１０１】
予測部２０６は、給湯需要を予測する予測器である。予測部２０６は、電力需要を予測してもよい。具体的には、予測部２０６は、需要家毎、かつ、時間帯毎に、需要を予測する。例えば、予測部２０６は、取得部２０１から過去の需要情報を取得し、過去の需要情報に基づいて、当日または次の日などの将来の需要を予測してもよい。
【０１０２】
予測部２０６は、さらに、季節、天気、曜日、温度、湿度、または、これらの組み合わせに基づいて、将来の需要を予測してもよい。また、予測部２０６は、需要家群全体の需要を予測してもよい。
【０１０３】
導出部２０２は、予測部２０６で予測された給湯需要の情報から、個別給湯需要傾向および全体給湯需要傾向を導出してもよい。また、導出部２０２は、取得部２０１で取得された過去の給湯需要の情報、および、予測部２０６で予測された将来の給湯需要の情報から、個別給湯需要傾向および全体給湯需要傾向を導出してもよい。
【０１０４】
生成部２０４は、予測部２０６で予測された給湯需要が満たされるように、沸き上げ量または貯湯量を制限する制御指示を生成してもよい。例えば、生成部２０４は、朝および昼の時間帯において制御対象の需要家の予測された給湯需要が満たされる範囲で、深夜における制御対象の需要家の沸き上げ量または貯湯量を制限する制御指示を生成してもよい。
【０１０５】
また、生成部２０４は、予測部２０６で予測された電力需要に基づいて、制御時間帯における制御対象の需要家の電力需要が大きいほど、制御対象の需要家の沸き上げ量または貯湯量を小さく制限する制御指示を生成してもよい。
【０１０６】
受付部２０７は、電力需要の制御の要求を受け付ける受付器である。例えば、受付部２０７は、電力系統から、電力需要の削減または増加の要求を示す情報を受信することにより、電力需要の削減または増加の要求を受け付ける。この要求には、需要家群全体の電力需要の目標量、および、需要家群全体の電力需要の削減または増加が行われるべき制御時間帯を示す情報が含まれていてもよい。
【０１０７】
そして、生成部２０４は、全体給湯需要傾向に応じた範囲で、受付部２０７で受け付けられた目標量に需要家群全体の電力需要が近づくように、制御指示を生成してもよい。例えば、生成部２０４は、制御時間帯の直後の時間帯において需要家群全体の給湯需要が満たされ、かつ、需要家群全体の電力需要が目標量に近づくように、沸き上げ量または貯湯量を制限する制御指示を生成してもよい。
【０１０８】
また、受付部２０７は、需要家群全体の沸き上げ量または貯湯量の制御の要求を受け付けてもよい。この要求には、需要家群全体の沸き上げ量または貯湯量の目標量、および、需要家群全体の沸き上げ量または貯湯量の制御が行われるべき制御時間帯を示す情報が含まれていてもよい。
【０１０９】
図１１は、図１０に示された需要管理装置２００の動作を示すフローチャートである。図１０に示された需要管理装置２００は、図１１に示された動作を行うことにより、給湯需要に応じた制御を行う。
【０１１０】
まず、取得部２０１は、給湯需要情報を取得する（Ｓ５０１）。取得部２０１は、電力需要情報を取得してもよい。次に、受付部２０７は、電力需要等の制御の要求を受け付ける（Ｓ５０２）。次に、予測部２０６は、給湯需要情報等に従って、給湯需要を予測する（Ｓ５０３）。予測部２０６は、電力需要情報に従って、電力需要を予測してもよい。
【０１１１】
次に、導出部２０２は、予測部２０６で予測された給湯需要の情報から、個別給湯需要傾向および全体給湯需要傾向を導出する（Ｓ５０４）。導出部２０２は、取得部２０１で取得された過去の給湯需要の情報、および、予測部２０６で予測された将来の給湯需要の情報から、個別給湯需要傾向および全体給湯需要傾向を導出してもよい。
【０１１２】
次に、選択部２０３は、複数の需要家のうち、個別給湯需要傾向が全体給湯需要傾向から乖離していないと判断される需要家を制御対象の需要家として選択する（Ｓ５０５）。
【０１１３】
次に、生成部２０４は、全体給湯需要傾向に応じた制御指示を生成する（Ｓ５０６）。その際、生成部２０４は、全体給湯需要傾向に応じた範囲で、受付部２０７で受け付けられた要求が満たされるように、制御指示を生成する。また、生成部２０４は、さらに、予測部２０６で予測された給湯需要および電力需要を制御指示に反映させてもよい。次に、送信部２０５は、制御対象の需要家へ制御指示を送信する（Ｓ５０７）。
【０１１４】
上記の動作によって、需要管理装置２００は、電力需要等の制御の要求、給湯需要等の予測に基づいて適切に制御指示を生成することができる。
【０１１５】
なお、予測部２０６および受付部２０７は、それぞれ、任意の構成要素である。需要管理装置２００は、予測部２０６および受付部２０７の一方または両方を備えなくてもよい。そして、需要管理装置２００は、受付処理（Ｓ５０２）および予測処理（Ｓ５０３）の一方または両方を行わなくてもよい。
【０１１６】
また、取得部２０１が予測部２０６を含んでもよいし、生成部２０４が受付部２０７を含んでもよい。そして、取得部２０１によって予測処理（Ｓ５０３）が行われてもよいし、生成部２０４によって受付処理（Ｓ５０２）が行われてもよい。
【０１１７】
以上、本発明に係る需要管理装置２００について、実施の形態等に基づいて説明したが、本発明は、上記の実施の形態等に限定されない。上記の実施の形態等に対して当業者が思いつく変形を施して得られる形態、および、上記の実施の形態等における複数の構成要素を任意に組み合わせて実現される別の形態も本発明に含まれる。
【０１１８】
例えば、特定の構成要素が実行する処理を別の構成要素が実行してもよい。また、処理を実行する順番が変更されてもよいし、複数の処理が並行して実行されてもよい。
【０１１９】
また、本発明は、需要管理装置２００として実現できるだけでなく、需要管理装置２００を構成する各構成要素が行うステップ（処理）を含む方法として実現できる。
【０１２０】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１２１】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１２２】
また、需要管理装置２００等に含まれる複数の構成要素は、それぞれ、専用または汎用の回路として実現されてもよい。これらの構成要素は、１つの回路として実現されてもよいし、複数の回路として実現されてもよい。
【０１２３】
また、需要管理装置２００等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【０１２４】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１２５】
さらに、半導体技術の進歩または派生する別技術によりＬＳＩに置き換わる集積回路化の技術が登場すれば、当然、その技術を用いて、需要管理装置２００に含まれる複数の構成要素の集積回路化が行われてもよい。
【０１２６】
最後に、需要管理装置２００等の複数の態様を例として示す。これらの態様は、適宜、組み合わされてもよい。また、上記の実施の形態等に示された任意の構成等が追加されてもよい。
【０１２７】
（第１態様）
本発明の一態様に係る需要管理装置２００は、取得部２０１と、導出部２０２と、選択部２０３と、生成部２０４と、送信部２０５とを備える。
【０１２８】
取得部２０１は、複数の需要家のそれぞれの給湯需要を示す給湯需要情報を取得する。導出部２０２は、給湯需要情報から、複数の需要家のそれぞれの給湯需要の傾向である個別給湯需要傾向と、複数の需要家の全体の給湯需要の傾向である全体給湯需要傾向とを導出する。選択部２０３は、複数の需要家のうち、個別給湯需要傾向が全体給湯需要傾向から乖離していないと判断される需要家を制御対象の需要家として選択する。
【０１２９】
生成部２０４は、全体給湯需要傾向に応じた制御指示を生成する。送信部２０５は、制御対象の需要家へ制御指示を送信する。
【０１３０】
これにより、需要管理装置２００は、個別給湯需要傾向が全体給湯需要傾向から乖離していないと判断される需要家を制御対象の需要家として選択し、全体給湯需要傾向に応じた制御指示を制御対象の需要家へ送信することができる。したがって、需要管理装置２００は、需要家群全体の給湯需要に応じた制御を行いつつ、需要家個別の特異な給湯需要に起因する弊害の発生を抑制することができる。
【０１３１】
（第２態様）
例えば、導出部２０２は、複数の需要家のそれぞれに関し、需要家の１日の給湯需要に対する需要家の所定時間帯の給湯需要の割合である個別給湯負荷率を複数の日のそれぞれについて導出することにより複数の日について複数の個別給湯負荷率を導出してもよい。そして、導出部２０２は、複数の需要家のそれぞれに関し、複数の個別給湯負荷率の標準偏差を含む個別給湯需要傾向を導出してもよい。
【０１３２】
そして、選択部２０３は、複数の需要家のうち、標準偏差が所定範囲内である需要家を制御対象の需要家として選択してもよい。
【０１３３】
これにより、需要管理装置２００は、給湯需要の変動が大きい需要家等を除いて、制御対象の需要家を選択することができる。給湯需要の変動が大きい場合、画一的な制御によって湯切れ等の弊害が発生する可能性が高い。したがって、需要管理装置２００は、給湯需要の変動が大きい需要家等を除くことで、湯切れ等の弊害の発生を抑制することができる。
【０１３４】
（第３態様）
例えば、導出部２０２は、複数の需要家のそれぞれに関し、需要家の１日の給湯需要に対する需要家の所定時間帯の給湯需要の割合である個別給湯負荷率を複数の日のそれぞれについて導出することにより複数の日について複数の個別給湯負荷率を導出してもよい。そして、導出部２０２は、複数の需要家のそれぞれに関し、複数の個別給湯負荷率の平均値である個別平均値を含む個別給湯需要傾向を導出してもよい。
【０１３５】
また、導出部２０２は、複数の需要家の１日の給湯需要に対する複数の需要家の所定時間帯の給湯需要の割合である全体給湯負荷率を複数の日のそれぞれについて導出することにより複数の日について複数の全体給湯負荷率を導出してもよい。そして、導出部２０２は、複数の全体給湯負荷率の平均値である全体平均値を含む全体給湯需要傾向を導出してもよい。
【０１３６】
また、選択部２０３は、複数の需要家のうち、個別平均値と全体平均値との差が所定範囲内である需要家を制御対象の需要家として選択してもよい。
【０１３７】
これにより、需要管理装置２００は、給湯需要が大きい需要家等を除いて、制御対象の需要家を選択することができる。給湯需要が大きい場合、画一的な制御によって湯切れ等の弊害が発生する可能性が高い。したがって、需要管理装置２００は、給湯需要が大きい需要家等を除くことで、湯切れ等の弊害の発生を抑制することができる。
【０１３８】
（第４態様）
例えば、導出部２０２は、複数の需要家のそれぞれに関し、需要家の１日の給湯需要に対する需要家の所定時間帯の給湯需要の割合である個別給湯負荷率を複数の日のそれぞれについて導出することにより複数の日について複数の個別給湯負荷率を導出してもよい。そして、導出部２０２は、複数の個別給湯負荷率の平均値である個別平均値と、複数の個別給湯負荷率の標準偏差とを含む個別給湯需要傾向を導出してもよい。
【０１３９】
また、導出部２０２は、複数の需要家の１日の給湯需要に対する複数の需要家の所定時間帯の給湯需要の割合である全体給湯負荷率を複数の日のそれぞれについて導出することにより複数の日について複数の全体給湯負荷率を導出してもよい。そして、導出部２０２は、複数の全体給湯負荷率の平均値である全体平均値を含む全体給湯需要傾向を導出してもよい。
【０１４０】
また、選択部２０３は、複数の需要家のうち、標準偏差が第１所定範囲内であり、かつ、個別平均値と全体平均値との差が第２所定範囲内である需要家を制御対象の需要家として選択してもよい。
【０１４１】
これにより、需要管理装置２００は、給湯需要の変動が大きい需要家、および、給湯需要が大きい需要家等を除いて、制御対象の需要家を選択することができる。給湯需要の変動が大きい場合、または、給湯需要が大きい場合、画一的な制御によって湯切れ等の弊害が発生する可能性が高い。したがって、需要管理装置２００は、給湯需要の変動が大きい需要家、および、給湯需要が大きい需要家等を除くことで、湯切れ等の弊害の発生を抑制することができる。
【０１４２】
（第５態様）
例えば、所定時間帯は、制御指示によって制御が行われる制御時間帯の後の時間帯でもよい。
【０１４３】
これにより、需要管理装置２００は、制御時間帯の後の時間帯における給湯需要の変動が大きい需要家、または、制御時間帯の後の時間帯における給湯需要が大きい需要家等を除いて、制御対象の需要家を選択することができる。
【０１４４】
制御時間帯の後の時間帯における給湯需要の変動が大きい場合、または、制御時間帯の後の時間帯における給湯需要が大きい場合、画一的な制御によって湯切れ等の弊害が発生する可能性がより高い。したがって、需要管理装置２００は、制御時間帯の後の時間帯における給湯需要の変動が大きい需要家、または、制御時間帯の後の時間帯における給湯需要が大きい需要家等を除くことで、湯切れ等の弊害の発生をより適切に抑制することができる。
【０１４５】
（第６態様）
例えば、生成部２０４は、制御対象の需要家の沸き上げ量または貯湯量を制限するための制御指示を生成してもよい。これにより、需要管理装置２００は、沸き上げ等のための消費電力量を制御することができ、電力需要を制御することができる。
【０１４６】
（第７態様）
例えば、導出部２０２は、複数の需要家の１日の給湯需要に対する複数の需要家の所定時間帯の給湯需要の割合である全体給湯負荷率を複数の日のそれぞれについて導出することにより複数の日について複数の全体給湯負荷率を導出してもよい。そして、導出部２０２は、複数の全体給湯負荷率の平均値である全体平均値を含む全体給湯需要傾向を導出してもよい。また、生成部２０４は、全体平均値が小さいほど小さい量に、制御対象の需要家の沸き上げ量または貯湯量を制限するための制御指示を生成してもよい。
【０１４７】
これにより、需要管理装置２００は、全体平均値に基づいて、沸き上げ量等を適切に制限することができる。したがって、需要管理装置２００は、電力需要を適切に制御することができる。
【０１４８】
（第８態様）
例えば、取得部２０１は、さらに、複数の需要家のそれぞれの電力需要を示す電力需要情報を取得してもよい。また、生成部２０４は、制御対象の需要家の電力需要、制御対象の需要家の給湯需要、および、全体給湯需要傾向に応じた制御指示を生成してもよい。
【０１４９】
これにより、需要管理装置２００は、需要家群全体の給湯需要のみではなく、制御対象の需要家の電力需要、および、制御対象の需要家の給湯需要に応じた制御を行うことができる。
【０１５０】
（第９態様）
例えば、導出部２０２は、複数の需要家の１日の給湯需要に対する複数の需要家の所定時間帯の給湯需要の割合である全体給湯負荷率を複数の日のそれぞれについて導出することにより複数の日について複数の全体給湯負荷率を導出してもよい。そして、導出部２０２は、複数の全体給湯負荷率の平均値である全体平均値を含む全体給湯需要傾向を導出してもよい。また、所定時間帯は、制御指示によって制御が行われる制御時間帯の後の時間帯でもよい。
【０１５１】
また、生成部２０４は、全体平均値が小さいほど小さい量に、かつ、電力需要が大きいほど小さい量に、かつ、給湯需要が小さいほど小さい量に、制御対象の需要家の沸き上げ量または貯湯量を制限するための制御指示を生成してもよい。ここで、電力需要は、制御時間帯における制御対象の需要家の電力需要である。また、給湯需要は、所定時間帯における制御対象の需要家の給湯需要である。
【０１５２】
これにより、需要管理装置２００は、全体平均値のみではなく、制御時間帯における制御対象の需要家の電力需要、および、所定時間帯における制御対象の需要家の給湯需要に基づいて、沸き上げ量等をより適切に制限することができる。
【０１５３】
（第１０態様）
本発明の一態様に係る需要管理方法は、取得ステップ（Ｓ１０１）と、導出ステップ（Ｓ１０２）と、選択ステップ（Ｓ１０３）と、生成ステップ（Ｓ１０４）と、送信ステップ（Ｓ１０５）とを含む。
【０１５４】
取得ステップ（Ｓ１０１）では、複数の需要家のそれぞれの給湯需要を示す給湯需要情報を取得する。導出ステップ（Ｓ１０２）では、給湯需要情報から、複数の需要家のそれぞれの給湯需要の傾向である個別給湯需要傾向と、複数の需要家の全体の給湯需要の傾向である全体給湯需要傾向とを導出する。選択ステップ（Ｓ１０３）では、複数の需要家のうち、個別給湯需要傾向が全体給湯需要傾向から乖離していないと判断される需要家を制御対象の需要家として選択する。
【０１５５】
生成ステップ（Ｓ１０４）では、全体給湯需要傾向に応じた制御指示を生成する。送信ステップ（Ｓ１０５）では、制御対象の需要家へ制御指示を送信する。
【０１５６】
これにより、個別給湯需要傾向が全体給湯需要傾向から乖離していないと判断される需要家が制御対象の需要家として選択され、全体給湯需要傾向に応じた制御指示が制御対象の需要家へ送信される。したがって、需要家群全体の給湯需要に応じた制御を行うことが可能であり、かつ、需要家個別の特異な給湯需要に起因する弊害の発生を抑制することが可能である。
【０１５７】
（第１１態様）
本発明の一態様に係るプログラムは、需要管理方法をコンピュータに実行させるためのプログラムである。これにより、需要管理方法をコンピュータに実行させることが可能である。
【符号の説明】
【０１５８】
２００  需要管理装置
２０１  取得部
２０２  導出部
２０３  選択部
２０４  生成部
２０５  送信部
【図１】
2017154753.tif 000003
【図２】
2017154753.tif 000004
【図３】
2017154753.tif 000005
【図４】
2017154753.tif 000006
【図５】
2017154753.tif 000007
【図６】
2017154753.tif 000008
【図７】
2017154753.tif 000009
【図８】
2017154753.tif 000010
【図９】
2017154753.tif 000011
【図１０】
2017154753.tif 000012
【図１１】
2017154753.tif 000013
【国際調査報告】
2017154753.tif 000014
2017154753.tif 000015
2017154753.tif 000016
2017154753.tif 000017